(57)【要約】      （修正有）【課題】  磁石で相互に組み合せられる整髪用鋏の提供。【解決手段】  整髪用鋏１は、ピボット１０で相互に枢設された切断手段１２を具え、各切断手段１２は、第１側と第２側を具えたハンドル１３を具え、第１溝１３２が各ハンドルの第１側に形成され、各ハンドルの第２側に第２溝が形成され、該磁石１４はハンドル１３の外部に一部が露出するように第１溝１３２に取り付けられ、各磁石１４の露出部がもう一つの整髪用鋏１の対応するハンドルの第２溝１３３に収容並びに結合されることを特徴とする。【選択図】        図１
2005040502.tif 000002
【特許請求の範囲】
【請求項１】
磁石で相互に組み合せられる整髪用鋏において、該整髪用鋏は、ピボットで相互に枢設された切断手段を具え、各切断手段は、第１側と第２側を具えたハンドルを具え、第１溝が各ハンドルの第１側に形成され、各ハンドルの第２側に第２溝が形成され、該磁石はハンドルの外部に一部が露出するように第１溝に取り付けられ、各磁石の露出部がもう一つの整髪用鋏の対応するハンドルの第２溝に収容並びに結合されることを特徴とする、磁石で相互に組み合せられる整髪用鋏。
【請求項２】
請求項１記載の磁石で相互に組み合せられる整髪用鋏において、磁石と第１溝を画定する周壁の間に取り付けられるホルダリングを具えたことを特徴とする、磁石で相互に組み合せられる整髪用鋏。
【請求項３】
請求項１記載の磁石で相互に組み合せられる整髪用鋏において、磁石が第１溝と第２溝の深さの和に等しい厚さを具えたことを特徴とする、磁石で相互に組み合せられる整髪用鋏。
【請求項４】
請求項１記載の磁石で相互に組み合せられる整髪用鋏において、磁石が第１溝と第２溝の深さの和より大きい厚さを具えたことを特徴とする、磁石で相互に組み合せられる整髪用鋏。
【請求項５】
請求項２記載の磁石で相互に組み合せられる整髪用鋏において、磁石が第１溝と第２溝の深さの和と等しい厚さを具えたことを特徴とする、磁石で相互に組み合せられる整髪用鋏。
【請求項６】
請求項２記載の磁石で相互に組み合せられる整髪用鋏において、磁石が第１溝と第２溝の深さの和よりおおきいことを特徴とする、磁石で相互に組み合せられる整髪用鋏。
【請求項７】
磁石で相互に組み合せられる整髪用鋏において、該整髪用鋏は、ピボットで相互に枢設された切断手段を具え、各切断手段は、第１側と第２側を具えたハンドルを具え、貫通孔が各ハンドルの第１側から第２側に貫通するように形成され、該磁石が貫通溝に取り付けられ、第１の整髪用鋏の磁石と、該第１の整髪用鋏と同じ形態に形成された第２の整髪用鋏の磁石の吸引力により、第１の整髪用鋏と第２の整髪用鋏が結合されることを特徴とする、磁石で相互に組み合せられる整髪用鋏。
【請求項８】
請求項７記載の磁石で相互に組み合せられる整髪用鋏において、磁石の厚さが貫通孔の深さと同じとされたことを特徴とする、磁石で相互に組み合せられる整髪用鋏。
【請求項９】
請求項７記載の磁石で相互に組み合せられる整髪用鋏において、磁石の厚さが貫通孔の深さより大きいものとされたことを特徴とする、磁石で相互に組み合せられる整髪用鋏。
【請求項１０】
請求項７記載の磁石で相互に組み合せられる整髪用鋏において、磁石と貫通孔を画定する周壁との間にホルダリングが装着されたことを特徴とする、磁石で相互に組み合せられる整髪用鋏。
【発明の詳細な説明】
【技術分野】
【０００１】
本発明は一種の整髪用鋏に係り、特に、磁石で他の整髪用鋏と分離可能に組み合わせられる整髪用鋏に関する。
【背景技術】
【０００２】
他の整髪用鋏と分離可能に組み合わせられる整髪用鋏は、例えば、特許文献１から３に記載されている。これらの特許は機械式結合を利用して二つの整髪用鋏を結合させている。本発明は磁石を利用して二つの鋏を結合させる設計を提供するものである。
【０００３】
【特許文献１】米国特許第６，１９２，５９０号明細書
【特許文献２】米国特許第６，４３４，８３３号明細書
【特許文献３】米国特許第６，５５７，２６３号明細書
【発明の開示】
【発明が解決しようとする課題】
【０００４】
本発明の目的は、一種の整髪用鋏を提供することにあり、それは、他の整髪用鋏と磁石により分離可能に結合されるものとする。
【課題を解決するための手段】
【０００５】
請求項１の発明は、磁石で相互に組み合せられる整髪用鋏において、該整髪用鋏は、ピボットで相互に枢設された切断手段を具え、各切断手段は、第１側と第２側を具えたハンドルを具え、第１溝が各ハンドルの第１側に形成され、各ハンドルの第２側に第２溝が形成され、該磁石はハンドルの外部に一部が露出するように第１溝に取り付けられ、各磁石の露出部がもう一つの整髪用鋏の対応するハンドルの第２溝に収容並びに結合されることを特徴とする、磁石で相互に組み合せられる整髪用鋏。
請求項２の発明は、請求項１記載の磁石で相互に組み合せられる整髪用鋏において、磁石と第１溝を画定する周壁の間に取り付けられるホルダリングを具えたことを特徴とする、磁石で相互に組み合せられる整髪用鋏。
請求項３の発明は、請求項１記載の磁石で相互に組み合せられる整髪用鋏において、磁石が第１溝と第２溝の深さの和に等しい厚さを具えたことを特徴とする、磁石で相互に組み合せられる整髪用鋏。
請求項４の発明は、請求項１記載の磁石で相互に組み合せられる整髪用鋏において、磁石が第１溝と第２溝の深さの和より大きい厚さを具えたことを特徴とする、磁石で相互に組み合せられる整髪用鋏。
請求項５の発明は、請求項２記載の磁石で相互に組み合せられる整髪用鋏において、磁石が第１溝と第２溝の深さの和と等しい厚さを具えたことを特徴とする、磁石で相互に組み合せられる整髪用鋏。
請求項６の発明は、請求項２記載の磁石で相互に組み合せられる整髪用鋏において、磁石が第１溝と第２溝の深さの和よりおおきいことを特徴とする、磁石で相互に組み合せられる整髪用鋏。
請求項７の発明は、磁石で相互に組み合せられる整髪用鋏において、該整髪用鋏は、ピボットで相互に枢設された切断手段を具え、各切断手段は、第１側と第２側を具えたハンドルを具え、貫通孔が各ハンドルの第１側から第２側に貫通するように形成され、該磁石が貫通溝に取り付けられ、第１の整髪用鋏の磁石と、該第１の整髪用鋏と同じ形態に形成された第２の整髪用鋏の磁石の吸引力により、第１の整髪用鋏と第２の整髪用鋏が結合されることを特徴とする、磁石で相互に組み合せられる整髪用鋏。
請求項８の発明は、請求項７記載の磁石で相互に組み合せられる整髪用鋏において、磁石の厚さが貫通孔の深さと同じとされたことを特徴とする、磁石で相互に組み合せられる整髪用鋏。
請求項９の発明は、請求項７記載の磁石で相互に組み合せられる整髪用鋏において、磁石の厚さが貫通孔の深さより大きいものとされたことを特徴とする、磁石で相互に組み合せられる整髪用鋏。
請求項１０の発明は、請求項７記載の磁石で相互に組み合せられる整髪用鋏において、磁石と貫通孔を画定する周壁との間にホルダリングが装着されたことを特徴とする、磁石で相互に組み合せられる整髪用鋏。
【発明の効果】
【０００６】
本発明は磁石で複数の整髪用鋏を分離可能に組み合わせられる整髪用鋏の構造を提供している。
【発明を実施するための最良の形態】
【０００７】
本発明によると、整髪用鋏はピボットで相互に枢設された切断手段を具えている。各切断手段は、第１側と第２側を具えたハンドルを具えている。第１溝が各ハンドルの第１側に形成され、各ハンドルの第２側に第２溝が形成されている。磁石はハンドルの外部に一部が露出するように第１溝に取り付けられる。各磁石の露出部は同様に形成されたもう一つの整髪用鋏の対応するハンドルの第２溝にしっかりと結合される。
ホルダリングが各磁石と各第１溝を画定する表面の間に取り付けられ、ある実施例によると、各磁石は第１溝及び第２溝の深さの総計に等しい厚さを有している。他の実施例によると、各磁石は第１溝と第２溝の深さの総計よりも大きい厚さを有している。
また、本発明によると、整髪用鋏はピボットで相互に枢設された切断手段を具えている。各切断手段は、その第１側から第２側に貫通する貫通孔を具えている。磁石が各貫通孔に取り付けられる。一方の整髪用鋏の磁石と該整髪用鋏と同様に形成された他方の整髪用鋏の磁石は相互に吸着し、これにより整髪用鋏が同じ形状の整髪用鋏と一体に結合される。
ホルダリングが各磁石と該貫通孔を画定する表面の間に取り付けられ、ある実施例によると、各磁石は各貫通孔の深さに等しいか或いはそれより大きいものとされる。
【実施例１】
【０００８】
図１を参照されたい。本発明の整髪用鋏１はピボット１０で相互に枢設された切断手段１１、１２を具えている。切断手段１１、１２はその末端にハンドル１３を具えると共に他端に刃（符号なし）を具え、各ハンドル１３は使用者の親指或いは人指し指を通すための開口１３１を具えている。
各ハンドル１３はその第１側に第１溝１３２を具えると共に、第２側に第２溝１３３を具えている。、好ましくは、第１溝１３２は第２溝１３３と同じ深さを有するものとされる。一部がハンドル１３外に露出するように、磁石１４が第１溝１３２に取り付けられ（図１の露出部１４１を参照されたい）。この実施例では、各磁石１４は各第１溝１３２、第２溝１３３の深さの二倍の厚さを有している。或いは、磁石１４は第１溝１３２の深さと、該第１溝１３２の深さと異なる深さを有する第２溝１３３の深さの総計と同じ厚さを有している。こうして、整髪用鋏１の各磁石１４の露出部１４１が別の整髪用鋏１の対応する第２溝１３３にぴったりと収容され、これにより二つの整髪用鋏１が一体に連結される。この連結操作を繰り返すことにより、複数の整髪用鋏１を連結させることができ、これは図２に示されるとおりである。切断手段１１、１２は通常スチール或いは類似の材料で形成されているため、磁石１４の吸着力により整髪用鋏１間の分離が防止される。整髪用鋏１を分離させる時は、磁石１４の吸着力と磁石１４と第１溝１３２及び第２溝１３３を画定する周壁との間の結合力を克服する力を加える。
【実施例２】
【０００９】
図３は本発明の第２実施例を示す。この実施例中、堅い材料で形成されたホルダリング１５が各磁石１４と対応する第１溝１３２を画定する周壁との間に取り付けられている。ホルダリング１５の材料は磁石１４の吸着力に不利な影響を与えることなく磁石１４を第１溝１３２に挿入するのを補助できるものが選択される。
【実施例３】
【００１０】
図４は本発明の第３実施例を示す。この実施例では特に、整髪用鋏２がピボット２０で相互に枢設された二つの切断手段２１、２２を具えている。各切断手段２１、２２は一端にハンドル２３を、他端に刃（符号なし）を具え、各ハンドル２３は使用者の親指又は一差し指を通すための開口２３１を具えている。
各ハンドル２３は、磁石２４がしっかりと固定される貫通孔２３２を具えている。該磁石２４は貫通孔２３２の深さに等しい厚さを具えている。こうして、二つの整髪用鋏２の磁石２４の相互の吸引力により二つの整髪用鋏２が簡単に連結される。二つの整髪用鋏２の分離は磁石２４間の吸引力を克服する力を加えることにより簡単に達成される。こうして、使用者は複数の整髪用鋏を必要に応じて連結させることができる。
【実施例４】
【００１１】
図５は本発明の第４実施例を示す。この実施例では特に、堅い材料で形成されたホルダリング２５が磁石２４と貫通孔２３２を画定する周壁の間に取り付けられる。ホルダリング２５の材料は、磁石２４の吸着力に不利な影響を与えることなく磁石２４を貫通孔２３２に挿入するのを補助できるものが選択される。図６は図５の整髪用鋏が複数連結された状態を示す。
【実施例５】
【００１２】
図７は本発明の第５実施例を示す。この実施例は図１及び図２に示される第１実施例の応用実施例である。磁石１４の厚さは第１溝１３２と第２溝１３３の深さの和より大きく、これにより隣接する整髪用鋏１が相互に離間した状態で連結される。こうして、全体の整髪用鋏アセンブリが特殊なカッティング技術を実施するのに使用される。二つの整髪用鋏１間の間隙は必要に応じて変更されうる。間隙は全体の整髪用鋏において一定とは限らない。例えば第１の整髪用鋏と第２の整髪用鋏の間の間隙は第２の整髪用鋏と第３の整髪用鋏の間の間隙と異なるものとされうる。
本発明の実施範囲は図示されるものに限定されるわけではない。図４から図６に示される実施例において、磁石１４は機能に不利な影響を与えない範囲で貫通孔２３２より大きいものとされうる。
【図面の簡単な説明】
【００１３】
【図１】本発明の第１実施例の二つの整髪用鋏の結合前の斜視図である。
【図２】本発明の第１実施例の複数の整髪用鋏の結合後の部分断面図である。
【図３】本発明の第２実施例の二つの整髪用鋏の結合前の斜視図である。
【図４】本発明の第３実施例の二つの整髪用鋏の結合前の斜視図である。
【図５】本発明の第４実施例の二つの整髪用鋏の結合前の斜視図である。
【図６】本発明の第４実施例の複数の整髪用鋏の結合後の部分断面図である。
【図７】本発明の第５実施例の複数の整髪用鋏の結合後の部分断面図である。
【符号の説明】
【００１４】
１  整髪用鋏
１０  ピボット              １１  切断手段
１２  切断手段              １３  ハンドル
１３１  開口                １３２  第１溝
１３３  第２溝              １４  磁石
１４１  露出部              １５  ホルダリング
２  整髪用鋏
２０  ピボット              ２１  切断手段
２２  切断手段              ２３  ハンドル
２３１  開口                ２３２  貫通孔
２４  磁石                  ２５  ホルダリング
【図１】
2005040502.tif 000003
【図２】
2005040502.tif 000004
【図３】
2005040502.tif 000005
【図４】
2005040502.tif 000006
【図５】
2005040502.tif 000007
【図６】
2005040502.tif 000008
【図７】
2005040502.tif 000009